(57)【要約】【課題】デジタルカメラとプリント作成装置（プリントベンダー）から構成されるプリント作成システムにおいて、画像のプリント出力を行うための出力条件をデジタルカメラ側で事前に設定可能にすることにより、効率的にプリント処理を行う。【解決手段】デジタルカメラ１０では、記録媒体に記録された画像データの中から、操作部１１１の操作により、プリント出力する画像データが選択され、その選択された画像データをプリント出力するための出力条件が設定される。実際にプリントベンダー２０でプリント出力を行う際、デジタルカメラ１０からプリントベンダー２０に、プリント出力対象の画像データと、出力条件のデータが送信され、プリントベンダー２０では、送信された出力条件に従って、画像データのプリント出力が行われる。【選択図】            図１
2004328528.tif 000002
【特許請求の範囲】
【請求項１】
画像データを保持するデジタルカメラと、前記デジタルカメラに保持された画像データをプリント出力するプリント作成装置とを備えて構成されるプリント作成システムにおいて、
前記デジタルカメラは、
前記保持された画像データの中から、プリント出力する画像データを選択する画像選択部と、
前記画像選択部により選択された画像データをプリント出力するための出力条件を設定する設定部と、
前記選択された画像データと、前記設定部により設定された出力条件のデータを前記プリント作成装置に送信する送信部と、を備え、
前記プリント作成装置は、
前記デジタルカメラから送信された画像データ及び出力条件データを受信する受信部と、
前記受信部により受信された出力条件データに従って、前記受信された画像データをプリント出力するプリント部と、
を備えることを特徴とするプリント作成システム。
【請求項２】
前記デジタルカメラが複数のプリント作成装置に接続される場合、当該デジタルカメラは、
各種のプリント作成装置に関する情報を保持するプリンタ情報保持部と、
前記プリンタ情報保持部に保持された情報と、前記設定部により設定された出力条件に基づいて、前記複数のプリント作成装置の中から、前記画像選択部により選択された画像データをプリント出力するプリント作成装置を決定するプリンタ決定部と、を備え、
前記送信部は、前記プリンタ決定部により決定されたプリント作成装置でのプリント出力を指示するデータと、前記画像選択部により選択された画像データと、前記設定部により設定された出力条件のデータを、前記複数のプリント作成装置のうちの少なくとも一つに送信することを特徴とする請求項１に記載のプリント作成システム。
【請求項３】
プリント作成装置に接続されるデジタルカメラにおいて、
画像データを保持する保持する画像データ保持部と、
前記画像データ保持部に保持された画像データの中から、プリント出力する画像データを選択する画像選択部と、
前記画像選択部により選択された画像データをプリント出力するための出力条件を設定する設定部と、
を備えることを特徴とするデジタルカメラ。
【請求項４】
前記画像選択部により選択された画像データと、前記設定部により設定された出力条件のデータを前記プリント作成装置に送信する送信部を備えることを特徴とする請求項３に記載のデジタルカメラ。
【請求項５】
複数のプリント作成装置に接続される場合、
各種のプリント作成装置に関する情報を保持するプリンタ情報保持部と、
前記プリンタ情報保持部に保持された情報に基づいて、前記複数のプリント作成装置の中から、前記画像選択部により選択された画像データをプリント出力するプリント作成装置を決定するプリンタ決定部と、を備え、
前記送信部は、前記プリンタ決定部により決定されたプリント作成装置でのプリント出力を指示するデータと、前記画像選択部により選択された画像データと、前記設定部により設定された出力条件のデータを、前記複数のプリント作成装置のうちの少なくとも一つに送信することを特徴とする請求項４に記載のデジタルカメラ。
【発明の詳細な説明】
【０００１】
【発明の属する技術分野】
本発明は、プリント作成システム及びデジタルカメラに関する。
【０００２】
【従来の技術】
近年、メモリーカード等のメディアから読み込まれた画像を印刷して販売する画像印刷販売装置（以下、「プリントベンダー」と称す）が、街角や建物内に設置されている。プリントベンダーは、プリントベンダーに接続されたデジタルカメラ又はメディア挿入口に挿入されたメディア（メモリーカード等）から画像データを読み込み、表示モニタに、プリントを出力するための出力条件（プリントしたい画像、プリントサイズ、プリント枚数等）の入力画面を表示させ、入力された出力条件に基づいて画像を印刷する装置である。例えば、特許文献１には、携帯電話機とプリントベンダーとの間でブルートゥース通信を行い、当該通信によって、プリント画像の選択、プリント枚数の指定等が可能な技術が開示されている。
【０００３】
【特許文献１】
特開２００２−３５２３１９号公報
【０００４】
【発明が解決しようとする課題】
しかしながら、従来のプリントベンダーでは、プリント注文の受付時に、プリントしたい画像、プリント枚数、プリントサイズ等の出力条件を指定する仕組みになっていたため、客は、プリント注文の受付に手間取ってしまうという問題があった。特に、このようなプリント注文受付での手間は、プリントベンダーを利用する他の客を待たせることになり、他の客の迷惑になるという問題があった。
【０００５】
本発明の課題は、デジタルカメラとプリント作成装置（プリントベンダー）から構成されるプリント作成システムにおいて、画像をプリント出力するための出力条件をデジタルカメラ側で事前に設定可能にすることにより、効率的にプリント処理を行うことである。
【０００６】
【課題を解決するための手段】
請求項１記載の発明は、画像データを保持するデジタルカメラと、前記デジタルカメラに保持された画像データをプリント出力するプリント作成装置とを備えて構成されるプリント作成システムにおいて、前記デジタルカメラは、前記保持された画像データの中から、プリント出力する画像データを選択する画像選択部と、前記画像選択部により選択された画像データをプリント出力するための出力条件を設定する設定部と、前記選択された画像データと、前記設定部により設定された出力条件のデータを前記プリント作成装置に送信する送信部と、を備え、前記プリント作成装置は、前記デジタルカメラから送信された画像データ及び出力条件データを受信する受信部と、前記受信部により受信された出力条件データに従って、前記受信された画像データをプリント出力するプリント部と、を備えることを特徴としている。
【０００７】
請求項２に記載の発明は、請求項１に記載のプリント作成システムにおいて、前記デジタルカメラが複数のプリント作成装置に接続される場合、当該デジタルカメラは、各種のプリント作成装置に関する情報を保持するプリンタ情報保持部と、前記プリンタ情報保持部に保持された情報と、前記設定部により設定された出力条件に基づいて、前記複数のプリント作成装置の中から、前記画像選択部により選択された画像データをプリント出力するプリント作成装置を決定するプリンタ決定部と、を備え、前記送信部は、前記プリンタ決定部により決定されたプリント作成装置でのプリント出力を指示するデータと、前記画像選択部により選択された画像データと、前記設定部により設定された出力条件のデータを、前記複数のプリント作成装置のうちの少なくとも一つに送信することを特徴としている。
【０００８】
請求項３に記載の発明は、プリント作成装置に接続されるデジタルカメラにおいて、画像データを保持する保持する画像データ保持部と、前記画像データ保持部に保持された画像データの中から、プリント出力する画像データを選択する画像選択部と、前記画像選択部により選択された画像データをプリント出力するための出力条件を設定する設定部と、を備えることを特徴としている。
【０００９】
請求項４に記載の発明は、請求項３に記載のデジタルカメラにおいて、前記画像選択部により選択された画像データと、前記設定部により設定された出力条件のデータを前記プリント作成装置に送信する送信部を備えることを特徴としている。
【００１０】
請求項５に記載の発明は、請求項４に記載のデジタルカメラにおいて、複数のプリント作成装置に接続される場合、各種のプリント作成装置に関する情報を保持するプリンタ情報保持部と、前記プリンタ情報保持部に保持された情報に基づいて、前記複数のプリント作成装置の中から、前記画像選択部により選択された画像データをプリント出力するプリント作成装置を決定するプリンタ決定部と、を備え、前記送信部は、前記プリンタ決定部により決定されたプリント作成装置でのプリント出力を指示するデータと、前記画像選択部により選択された画像データと、前記設定部により設定された出力条件のデータを、前記複数のプリント作成装置のうちの少なくとも一つに送信することを特徴としている。
【００１１】
なお、本発明において、デジタルカメラとプリント作成装置の間の通信手段は特に限定されず、例えば、有線通信、無線通信、デジタルカメラに着脱可能な記録媒体経由の通信でも可能である。
【００１２】
本発明によれば、画像をプリント出力するための出力条件をデジタルカメラ側で事前に設定可能にすることにより、プリント作成装置でのプリント処理を効率的に行うことが可能になる。
【００１３】
また、デジタルカメラが複数のプリント作成装置に接続される場合、設定された出力条件に基づいて、画像をプリント出力するプリント作成装置を決定可能にしたことにより、画像の出力条件に適合するプリント作成装置で画像をプリント出力することが可能になる。
【００１４】
【発明の実施の形態】
以下、図を参照して本発明の実施の形態を詳細に説明する。
［第１の実施の形態］
図１〜図７を参照して、本発明の第１の実施の形態について説明する。
まず、第１の実施の形態における構成を説明する。
【００１５】
図１に、本発明の第１の実施の形態におけるプリント作成システム１の構成を示す。プリント作成システム１は、図１に示すように、デジタルカメラ１０と、プリント作成装置としてのプリントベンダー２０から構成され、デジタルカメラ１０とプリントベンダー２０は、ケーブルにより接続される。プリントベンダー２０には、図１に示すように、タッチパネル２４ａ、表示画面２７ａ、端末接続部２５ａ、金銭投入口２１ａ、金銭返却口２１ｂ、プリント受取口２０３ａ、記録媒体挿入口２９ａ〜２９ｄが設けられている。
【００１６】
〈デジタルカメラの構成〉
図２に、デジタルカメラ１０の内部構成を示す。デジタルカメラ１０は、図２に示すように、レンズ１０１、ＣＣＤ１０２、Ａ／Ｄ変換器１０３、プロセッサ１０４、無線通信制御部１０５、アンテナ１０６、外部記録媒体１０７、メモリ１０８、制御部１０９、表示部１１０、操作部１１１、電源部１１２、有線通信部１１３等を備えて構成される。
【００１７】
ＣＣＤ１０２は、レンズ１０１を介して入射された撮影画像を電気信号（アナログ信号）に光電変換する。Ａ／Ｄ変換器１０３は、ＣＣＤ１０２で得られた電気信号（アナログ信号）をデジタル信号に変換する。
【００１８】
プロセッサ１０４は、Ａ／Ｄ変換器１０３、無線通信制御部１０５から入力されたデータに対して圧縮処理を施す。また、プロセッサ１０４は、外部記録媒体１０７に記録されているデータに対して伸長処理を施す。
【００１９】
無線通信制御部１０５は、アンテナ１０６を介して、外部機器との無線による通信を制御する。本発明において適用される無線通信方式としては、例えば、赤外線を利用したＩｒＤＡ（Ｉｎｆｒａｒｅｄ  Ｄａｔａ  Ａｓｓｏｃｉａｔｉｏｎ）方式、Ｂｌｕｅｔｏｏｔｈ方式、非接触で近接して情報を伝達する電磁誘導方式等がある。
【００２０】
外部記録媒体１０７は、フラッシュメモリ等の記録媒体が着脱可能な構成になっている。
【００２１】
メモリ１０８は、制御部１０９により実行される各種制御プログラムや、当該制御プログラムの実行時に必要なデータを格納する。また、メモリ１０８は、図３に示すような出力条件設定情報１０８ａを格納する。
【００２２】
出力条件設定情報１０８ａは、図５に示す出力条件設定処理により設定された内容を格納したもので、図３に示すように、記録媒体に記録された画像毎に、ファイル名、出力フラグ、プリントサイズ、プリント枚数の各項目を対応付けて格納している。「ファイル名」項目は、記録媒体に記録された画像のファイル名のデータを格納する。「出力フラグ」項目は、プリント出力する画像であるか否かを示すフラグを格納する。出力フラグは、プリント出力する場合は「ＯＮ」に設定され、プリント出力しない場合は「ＯＦＦ」に設定される。「プリントサイズ」項目は、プリント出力する画像のプリントサイズのデータを格納する。「プリント枚数」項目は、プリント出力する画像のプリント枚数のデータを格納する。
【００２３】
制御部１０９は、メモリ１０８に格納された制御プログラムに従って、デジタルカメラ１０の各部を統括的に制御する。この制御部１０９は、出力条件を設定する出力条件設定処理を実行する（図５参照）。
【００２４】
表示部１１０は、ＬＣＤ（Ｌｉｑｕｉｄ  Ｃｒｙｓｔａｌ  Ｄｉｓｐｌａｙ）やＥＬ（Ｅｌｅｃｔｒｏｌｕｍｉｎｅｓｃｅｎｔ）ディスプレイ、ＬＥＤ等の表示画面を備え、制御部１０９から入力される表示制御信号に従って、所要の表示処理を行う。また、表示部１１０は、レンズ１０１を介して入力された撮影画像を連続的に表示するファインダとしての機能も有する。
【００２５】
操作部１１１は、主電源ボタン、レリーズボタン、再生ボタン、モード切替ボタン、カーソルボタン１１ａ、決定ボタン１１ｂ（図６参照）等により構成され、ボタンの押下による操作信号を制御部１０９に出力する。
【００２６】
電源部１１２は、電池等により構成され、デジタルカメラ１０を構成する各部に電力を供給する。
【００２７】
有線通信部１１３は、外部機器とケーブルを介したデータ通信を行うためのインターフェースを備える。例えば、有線通信部１１３は、ＩＥＥＥ１３９４やＵＳＢ（Ｕｎｉｖｅｒｓａｌ  Ｓｅｒｉａｌ  Ｂｕｓ）等により通信を行うためのインターフェースを備える。
【００２８】
〈プリントベンダーの構成〉
図４にプリントベンダー２０の内部構成を示す。プリントベンダー２０は、写真店や街角等に設置され、図４に示すように、アンテナ２０１、無線通信制御部２０２、プリンタ部２０３、操作部２０４、有線通信部２０５、メモリ２０６、表示部２０７、制御部２０８、外部記録媒体２０９、金銭授受部２１０等を備えて構成される。
【００２９】
無線通信制御部２０２は、アンテナ２０１を介して、外部機器との無線による通信を制御する。電磁誘導方式以外で、本発明において適用可能な無線通信方式としては、例えば、赤外線を利用したＩｒＤＡ（Ｉｎｆｒａｒｅｄ  Ｄａｔａ  Ａｓｓｏｃｉａｔｉｏｎ）方式や、Ｂｌｕｅｔｏｏｔｈ方式等がある。
【００３０】
プリンタ部２０３は、制御部２０８から入力される印刷制御信号に従って、所定の印刷方式（電子写真方式、インクジェット方式等）でプリント用紙にプリントし、プリント受取口２０３ａに出力する。また、プリンタ部２０３は、プリント料金の領収書をプリント出力する。
【００３１】
操作部２０４は、数字ボタンやスタートボタン、各種機能ボタン等の操作ボタンを備えており、これらのボタン操作による操作信号を制御部２０８に出力する。また、操作部２０４は、表示部２０７のＬＣＤの表示画面上を覆うように設けられたタッチパネル２４ａを備え、電磁誘導式、磁気歪式、感圧式等の座標読み取り原理でタッチ指示された座標を検出し、検出した座標を位置信号として制御部２０８に出力する。
【００３２】
有線通信部２０５は、端末接続部２５ａに差し込まれたケーブルにより外部機器（例えば、デジタルカメラ）との間でデータ通信を行うためのインターフェースを備える。例えば、有線通信部２０５は、ＩＥＥＥ１３９４やＵＳＢ（Ｕｎｉｖｅｒｓａｌ  Ｓｅｒｉａｌ  Ｂｕｓ）等により通信を行うためのインターフェースを備える。
【００３３】
メモリ２０６は、制御部２０８により実行される各種制御プログラムや、当該制御プログラムの実行時に必要なデータを格納する。
【００３４】
表示部２０７は、ＬＣＤ等の表示画面２７ａを備え、制御部２０８から入力される表示制御信号に従って、所要の表示処理を行う。
【００３５】
制御部２０８は、メモリ２０６に格納された制御プログラムに従って、プリントベンダー２０の各部を統括的に制御する。例えば、制御部２０８は、プリントベンダー２０に接続されたデジタルカメラ１０からのプリント要求を受け付けるプリント受付処理を実行する（図７参照）。
【００３６】
外部記録媒体２０９は、各種のメモリーカード、フロッピー（登録商標）ディスク、ＳＤカード（Ｓｅｃｕｒｅ  Ｄｉｇｉｔａｌ  ｍｅｍｏｒｙ  ｃａｒｄ）、ＰＣカード、ＭＯ（ｍａｇｎｅｔｏ−ｏｐｔｉｃ）等の記録媒体が装着可能な構成になっている。
【００３７】
金銭授受部２１０は、デジタルカメラ２０から指定された出力条件（プリントサイズ、プリント枚数等）に基づいてプリント料金を算出する。また、金銭授受部２１０は、金銭投入口２１ａから投入された金額や偽造を判定し、料金と投入金額に基づいて返金額を算出し、算出された返金額に相当するつり銭を金銭返却口２１ｂから返却する。また、金銭授受部２１０は、計算された料金、投入金額、返金額のデータを制御部２０８に出力する。
【００３８】
次に、本第１の実施の形態における動作を説明する。
まず、図５のフローチャートを参照して、デジタルカメラ１０により実行される出力条件設定処理について説明する。
【００３９】
操作部１１１の再生ボタンにより、記録媒体に記録された画像の再生が指定されると、図６（ａ）に示すように、表示部１１０に、外部記録媒体１０７の記録媒体に記録された画像を再生するための再生画面が表示される（ステップＳ１）。図６（ａ）に示す再生画面の右側には、設定された出力条件を変更するための「変更」ボタン、プリント出力を指示するための「出力」ボタンが表示されている。
【００４０】
図６（ａ）に示す再生画面の表示中に、カーソルボタン１１ａの操作により、表示する画像の切り替えが指示された場合（ステップＳ２；ＮＯ、ステップＳ７；ＹＥＳ）、切り替え操作により指定された画像の再生画面に切り替わる（ステップＳ１）。
【００４１】
図６（ａ）に示す再生画面の表示中に、カーソルボタン１１ａの操作により「出力」ボタンが指定され（ステップＳ２；ＹＥＳ）、決定ボタン１１ｂが押下されると、表示部１１０には、図６（ｂ）に示すように、再生画面に表示されていた画像をプリント出力するための出力条件を設定するための出力条件設定画面が表示される（ステップＳ３）。
【００４２】
出力条件設定画面には、図６（ｂ）に示すように、設定対象の画像のファイル名、プリントサイズの指定欄及びプリント枚数の指定欄が表示されている。出力条件設定画面において、カーソルボタン１１ａの操作により、プリントサイズ及びプリント枚数が指定され（ステップＳ４）、決定ボタン１１ｂが押下されると（ステップＳ５；ＹＥＳ）、メモリ１０８の出力条件設定情報１０８ａに、設定対象の画像のファイル名、ステップＳ４で指定されたプリントサイズ及びプリント枚数のデータが格納され、出力フラグがＯＮに設定される（ステップＳ６）。出力条件設定情報１０８ａに出力条件が設定（格納）されると、表示部１１０の表示は、再生画面に戻る。なお、出力条件設定情報１０８ａにおいて、記録媒体に格納されている画像のうち、出力条件が設定されていない画像の出力フラグはＯＦＦに設定されている。
【００４３】
なお、出力条件の設定内容を変更する場合は、再生画面において、カーソルボタン１１ａの操作により「変更」ボタンを指定し、決定ボタン１１ｂを押下することにより、出力条件設定画面に切り替わる。
【００４４】
再生画面の表示中に、カーソルボタン１１ａの操作により、表示する画像の切り替えが指示された場合（ステップＳ７；ＹＥＳ）、切り替え操作により指定された画像の再生画面に切り替わる（ステップＳ１）。画像の切り替えが指示されない場合は（ステップＳ７；ＮＯ）、本出力条件設定処理が終了する。
【００４５】
プリントベンダー２０にデジタルカメラ１０を接続し、実際に、プリントベンダー２０にプリント出力する場合は、出力条件設定情報１０８ａにおいて出力フラグがＯＮに設定されている画像のデータと、出力条件（プリントサイズ、プリント枚数）を示すデータがプリントベンダー２０に送信される。
【００４６】
なお、図６では、記録媒体に記録された画像をひとコマずつ表示する場合を示したが、複数の画像を表示（マルチ再生）し、表示された複数の画像の中から、プリント出力する画像を選択するようにしてもよい。
【００４７】
次に、図７のフローチャートを参照して、プリントベンダー２０により実行されるプリント受付処理について説明する。
【００４８】
プリントベンダー２０にデジタルカメラ１０が接続されると、デジタルカメラ１０から、プリント出力対象の画像データ及び出力条件を示すデータ（出力条件データ）が受信される（ステップＴ１）。次いで、ステップＴ１において受信されたデータに基づいて、プリント料金が算出され（ステップＴ２）、表示部２０７の表示画面２７ａに、算出されたプリント料金が表示される（ステップＴ３）。
【００４９】
なお、ステップＴ２においては、プリント条件だけでなく、プリントに使用するインクの種類（顔料系、ＵＶ系等）も加味してプリント料金が算出されるようにしてもよい。また、プリント料金情報をデジタルカメラ１０に送信するようにしてもよい。このようにすると、プリント料金情報を受信したデジタルカメラ１０は、受信したプリント情報を表示部１１０に表示したり、メモリ１０８に所定期間保持したりすることが可能である。
【００５０】
タッチパネル２４ａの操作により、出力条件が変更された場合は（ステップＴ４；ＹＥＳ）、ステップＴ２に戻り、変更された出力条件に基づいて、再度、プリント料金が算出される（ステップＴ２）。
【００５１】
タッチパネル２４ａの操作により、プリント出力が指示されると（ステップＴ４；ＮＯ）、出力条件に従って、プリント部２０３にてプリント出力が行われ（ステップＴ５）、本プリント受付処理が終了する。プリント出力が開始されると、表示画面２７ａに、プリント出力が完了するまでの時間が表示される。ステップＴ５におけるプリント出力では、プリント用紙の表面に画像がプリントされ、プリント用紙の裏面には、画像のファイル名等がプリントされる。
【００５２】
なお、プリント出力実行中、プリント出力が完了するまでの時間を示すデータをデジタルカメラ１０に送信するようにしてもよい。また、プリント出力実行中、表示画面２７ａに、出力中の画像のサムネイル画像を表示することが可能である。
【００５３】
なお、図７のプリント受付処理にて受け付けた画像及びプリントを注文した顧客の情報（顧客ＩＤ、連絡先等）を、プリントベンダー２０のメモリ２０６に所定期間保持するようにしてよい。このようにすると、後日、客が、焼増し注文をする際、デジタルカメラ１０や記録媒体を持参する必要がなく、メモリ２０６に保持された画像を効率的にプリント出力することが可能になる。
【００５４】
以上のように、本第１の実施の形態のプリント作成システム１によれば、デジタルカメラ側で画像の出力条件を事前に設定可能にすることにより、客は、プリント注文受付時に手間取ることなくなり、効率的にプリント処理を行うことが可能になる。
【００５５】
なお、本第１の実施の形態では、デジタルカメラ１０とプリントベンダー２０がケーブルにより接続される場合を示したが、無線接続されている場合においても、本第１の実施の形態における記載内容を適用することが可能である。
【００５６】
［第２の実施の形態］
図８〜図１１を参照して、本発明の第２の実施の形態について説明する。本第２の実施の形態では、デジタルカメラに、複数のプリント作成装置（プリントベンダー、プリンタ）が接続される場合のプリント作成システムについて説明する。まず、第２の実施の形態における構成を説明する。
【００５７】
図８に、本発明の第２の実施の形態におけるプリント作成システム２の構成を示す。プリント作成システム２は、図８に示すように、デジタルカメラ３０と、プリントベンダー４０、プリンタ５０、プリンタ６０から構成され、デジタルカメラ３０と、プリントベンダー４０はケーブルＣ１により接続され、プリントベンダー４０と、プリンタ５０、プリンタ６０は、ケーブルＣ２によりハブを介して接続される。なお、第２の実施の形態では、プリントベンダー４０、プリンタ５０、プリンタ６０を総称して、プリント作成装置と呼ぶことにする。
【００５８】
なお、プリント作成システム２を構成するプリント作成装置の台数は特に限定されない。また、第２の実施の形態において、プリントベンダー４０、プリンタ５０、プリンタ６０は、互いに種類の異なるプリント作成装置であるものとする。ここで、種類に異なるプリント作成装置とは、メーカーの異なるプリント作成装置又は同一メーカーでも機種・型番の異なるプリント作成装置のことを示す。
【００５９】
プリント作成システム２におけるデジタルカメラ３０の内部構成は、プリント作成システム１におけるデジタルカメラ１０（図２参照）と同一であるものとし、デジタルカメラ１０の各部と同一の符号を付して、その図示を省略する。以下、第１の実施の形態におけるデジタルカメラ１０の構成説明と異なる部分のみを説明する。
【００６０】
第２の実施の形態におけるメモリ１０８は、図９に示すような使用可能プリンタ情報１０８ｂを格納する。
【００６１】
使用可能プリンタ情報１０８ｂは、デジタルカメラ３０からのプリント要求を受入可能なプリント作成装置に関する情報を格納したもので、図９に示すように、プリント作成装置毎に、プリンタＮｏ．、メーカー、機種・型番、使用可能ペーパー、解像度等の各項目を対応づけて格納している。「プリンタＮｏ．」項目は、プリント作成装置を識別するための番号のデータを格納する。「メーカー」項目は、対応するプリント作成装置のメーカー名のデータを格納する。「機種・型番」項目は、対応するプリント作成装置の機種及び型番のデータを格納する。「使用可能ペーパー」項目は、対応するプリント作成装置で使用可能な紙のサイズ（プリントサイズ）、紙質等のデータを格納する。「解像度」項目は、対応するプリント作成装置の解像度のデータを格納する。
【００６２】
第２の実施の形態における制御部１０９は、記録媒体に記録された画像のプリントを、プリントベンダー４０に要求するプリント要求処理を実行する（図１０参照）。このプリント要求処理において、制御部１０９は、プリントベンダー４０を含む使用可能なプリント作成装置を特定し、予め設定された画像の出力条件と、特定されたプリント作成装置の情報に基づいて、画像をプリント出力するプリント作成装置を決定する。そして、制御部１０９は、決定されたプリント作成装置でのプリント出力を指示するデータと、プリント対象の画像データ、出力条件を示すデータ（出力条件データ）をプリントベンダー４０に送信する。
【００６３】
プリント作成システム２におけるプリントベンダー４０の内部構成は、プリント作成システム１におけるプリントベンダー２０（図４参照）と同一であるものとし、プリンタ２０の各部と同一の符号を付して、その図示を省略する。
【００６４】
第２の実施の形態における制御部２０８は、デジタルカメラ３０からのプリント要求を受け付けるプリント受付処理を実行する（図１１参照）。このプリント受付処理において、制御部２０８は、指定されたプリント作成装置でプリント出力を行うための制御をする。
【００６５】
次に、本第２の実施の形態における動作を説明する。
本第２の実施の形態におけるデジタルカメラ３０により実行される出力条件設定処理は、第１の実施の形態において図５に示した内容と同一ゆえ、その説明を省略する。
【００６６】
まず、図１０のフローチャートを参照して、デジタルカメラ３０により実行されるプリント要求処理について説明する。このプリント要求処理は、図５に示した出力条件設定処理後に実行される処理である。
【００６７】
まず、プリントベンダー４０に、プリント要求信号が送信される（ステップＳ１０）。ここで、プリント要求信号には、デジタルカメラのメーカー、機種、型番を示す内容と、プリント予定の画像の容量、プリント枚数、色（カラー／モノクロ）等の内容が含まれる。
【００６８】
ステップＳ１０のプリント要求信号に対する応答として、プリントベンダー４０から、プリント許可信号又は受入不可信号が受信される（ステップＳ１１）。プリント許可信号には、プリント要求を受入可能なプリント作成装置のメーカーや機種、型番等の内容が含まれる。受入不可信号には、デジタルカメラ３０に対応可能なプリント作成装置が存在しないことを示す内容、デジタルカメラ３０に対応可能なプリント作成装置が現在プリント不可状態（例えば、故障中、紙切れ中、ウォームアップ等）である旨を示す内容等が含まれる。
【００６９】
プリントベンダー４０からプリント許可信号又は受入不可信号が受信されると、受信したプリント許可信号の内容と、使用可能プリンタ情報１０８ｂに格納された情報との照合により、現在使用可能なプリント作成装置が特定される（ステップＳ１２）。
【００７０】
次いで、図５において設定された画像の出力条件（プリントサイズ、プリント枚数）と、使用可能プリンタ情報１０８ｂに格納された情報（プリントサイズ等）が照合される（ステップＳ１３）。ステップＳ１３における照合により、照合率の一番高いものが、画像をプリント出力するプリント作成装置として決定される（ステップＳ１４）。
【００７１】
次いで、ステップＳ１４において決定されたプリント作成装置でのプリント出力を指示するデータ、プリント予定の画像データ、出力条件データがプリントベンダー４０に送信され（ステップＳ１５）、本プリント要求処理が終了する。
【００７２】
次に、図１１のフローチャートを参照して、プリントベンダー４０により実行されるプリント受付処理について説明する。
【００７３】
まず、デジタルカメラ３０からプリント要求信号が受信されると（ステップＴ１０）、プリント要求信号に含まれる内容（デジタルカメラのメーカー、機種等）から、プリントベンダー４０、プリンタ５０、プリント６０において、プリント要求が受入可能であるか否かが判定される（ステップＴ１１）。
【００７４】
ステップＴ１１における判定により、プリントベンダー４０、プリンタ５０、プリント６０の何れも、デジタルカメラ３０からのプリント要求が受入不可能であると判定された場合（ステップＴ１２；ＹＥＳ）、デジタルカメラに受入不可信号が送信される（ステップＴ１９）。ステップＴ１１における判定により、デジタルカメラ３０からのプリント要求が受入可能であると判定された場合（ステップＴ１２；ＹＥＳ）、デジタルカメラ３０に対して、プリント許可信号が送信される（ステップＴ１３）。
【００７５】
デジタルカメラ３０から、ステップＳ１４において決定されたプリント作成装置でのプリント出力を指示するデータ、プリント出力対象の画像データ、出力条件データが受信されると（ステップＴ１４）、ステップＴ１４における受信されたデータに基づいて、プリント料金が算出され（ステップＴ１５）、表示部２０７の表示画面２７ａに、算出されたプリント料金が表示される（ステップＴ１６）。
【００７６】
なお、ステップＴ１５においては、出力条件だけでなく、プリントに使用するインクの種類（顔料系、ＵＶ系等）も加味してプリント料金が算出されるようにしてもよい。また、プリント料金情報をデジタルカメラ３０に送信するようにしてもよい。このようにすると、プリント料金情報を受信したデジタルカメラ３０は、受信したプリント情報を表示部１１０に表示したり、メモリ１０８に所定期間記憶したりすることが可能である。
【００７７】
タッチパネル２４ａの操作により、出力条件が変更された場合は（ステップＴ１７；ＹＥＳ）、ステップＴ１５に戻り、変更された出力条件に基づいて、再度、プリント料金が算出される（ステップＴ１５）。
【００７８】
プリントベンダー４０でのプリント出力が指示されている場合、タッチパネル２４ａの操作により、プリント出力が指示されると（ステップＴ１７；ＮＯ）、受信された出力条件に従って、プリント部２０３にてプリント出力が行われ（ステップＴ１８）、本プリント受付処理が終了する。なお、デジタルカメラ３０の方からプリントベンダー４０にプリント出力を指示するようにしてもよい。
【００７９】
他のプリント作成装置（プリンタ５０、プリント６０）でのプリント出力が指示されていた場合、タッチパネル２４ａの操作により、プリント出力が指示されると（ステップＴ１７；ＮＯ）、指定されたプリント作成装置に、プリントデータ（画像データ、出力条件データ）が送信され（ステップＴ１８）、本プリント受付処理が終了する。
【００８０】
なお、上述では、１台のプリント作成装置にて、画像をプリント出力する場合を示したが、使用可能なプリント作成装置の候補が複数ある場合、画像のプリント出力を、それら複数のプリント作成装置に分配するようにしてもよい。特に、プリント枚数が所定数を超えたときに、プリント出力を複数のプリント作成装置に分配するのが好ましい。また、図１１では、デジタルカメラ３０は、プリント出力する画像データをプリントベンダー４０に送信するようにしたが、デジタルカメラ３０と各プリント作成装置がハブを介して接続されている場合、ステップＳ１４において決定されたプリント作成装置に画像データを直接送信するようにしてもよい。
【００８１】
以上のように、本第２の実施の形態のプリント作成システム２によれば、デジタルカメラ側で画像の出力条件を事前に設定可能にすることにより、客は、プリント注文受付時に手間取ることなくなり、効率的にプリント処理を行うことが可能になる。また、出力条件に基づいて、画像をプリント出力するプリント作成装置を決定可能にしたことにより、画像の出力条件に適合するプリント作成装置で画像をプリント出力することが可能になる。
【００８２】
なお、上記各実施の形態における記述内容は、本発明の趣旨を逸脱しない範囲で適宜変更可能である。
【００８３】
【発明の効果】
本発明によれば、デジタルカメラ側で画像の出力条件を事前に設定可能にすることにより、プリント作成装置でのプリント処理を効率的に行うことが可能になる。
【００８４】
また、デジタルカメラが複数のプリント作成装置に接続される場合、設定された出力条件に基づいて、画像をプリント出力するプリント作成装置を決定可能にしたことにより、画像の出力条件に適合するプリント作成装置で画像をプリント出力することが可能になる。
【図面の簡単な説明】
【図１】本発明の第１の実施の形態におけるプリント作成システム１の構成を示す図。
【図２】図１のデジタルカメラ１０の機能的構成を示すブロック図。
【図３】デジタルカメラ１０のメモリ１０８に格納される出力条件設定情報１０８ａのデータ構成の一例を示す図。
【図４】図１のプリンとベンダー２０の機能的構成を示すブロック図。
【図５】デジタルカメラ１０において実行される出力条件設定処理を示すフローチャート。
【図６】デジタルカメラ１０の背面図（同図（ａ））と、表示部１１０に表示される出力条件設定画面（同図（ｂ））を示す図。
【図７】プリントベンダー２０により実行されるプリント受付処理を示すフローチャート。
【図８】本発明の第２の実施の形態におけるプリント作成システム２の構成を示す図。
【図９】デジタルカメラ３０のメモリ１０８に格納される使用可能プリンタ情報１０８ｂのデータ構成の一例を示す図。
【図１０】第２の実施の形態においてデジタルカメラ３０により実行されるプリント要求処理を示すフローチャート。
【図１１】第２の実施の形態においてプリントベンダー４０により実行されるプリント受付処理を示すフローチャート。
【符号の説明】
１、２    プリント作成システム
１０、３０    デジタルカメラ
２０、４０    プリントベンダー（プリント作成装置）
５０、６０    プリンタ（プリント作成装置）
１０１    レンズ
１０２    ＣＣＤ
１０３    Ａ／Ｄ変換器
１０４    プロセッサ
１０５    無線通信制御部
１０６、２０１    アンテナ
１０７    外部記録媒体（画像データ保持部）
１０８    メモリ
１０８ａ  出力条件設定情報
１０８ｂ  使用可能プリンタ情報
１０９    制御部（設定部、プリンタ決定部）
１１０、２０７    表示部
１１１    操作部（画像選択部）
１１２    電源部
１１３    有線通信部（送信部）
２０２    無線通信制御部
２０３    プリンタ部（プリント部）
２０４    操作部
２０５    有線通信部（受信部）
２０６    メモリ
２０８    制御部
２０９    外部記録媒体
２１０    金銭授受部
【図１】
2004328528.tif 000003
【図２】
2004328528.tif 000004
【図３】
2004328528.tif 000005
【図４】
2004328528.tif 000006
【図５】
2004328528.tif 000007
【図６】
2004328528.tif 000008
【図７】
2004328528.tif 000009
【図８】
2004328528.tif 000010
【図９】
2004328528.tif 000011
【図１０】
2004328528.tif 000012
【図１１】
2004328528.tif 000013